(57)【特許請求の範囲】
【請求項１】
複数の光バースト交換を行うネットワークを、波長パスを設定するネットワークにより中継し、該波長パスを設定するネットワークでは、光バースト信号の制御パケット用の波長パスと光バースト信号用の波長パスが同一ルートであるシステムの障害復旧方法であって、
前記光バースト信号用の波長パスを設定するために要する設定時間を計測するステップと、
前記光バースト信号の制御パケット用の波長パスの障害を検出するステップと、
前記検出した障害を前記光バースト交換を行うネットワークに通知するステップと、
前記光バースト交換を行うネットワークは、前記通知がなされた場合、前記設定時間が経過するまで、前記光バースト信号の制御パケットの送信を抑止するステップと、
を含むことを特徴とする障害復旧方法。
【請求項２】
前記波長パスの障害は、光バースト交換を行うネットワークと波長パスを設定するネットワーク間に配置されたトランスポンダが、光信号の喪失または伝送路障害による信号品質の劣化を検知することで検出され、
前記トランスポンダは、光信号喪失または伝送路障害による信号品質劣化検知後、光ＩＦをシャットダウンさせないことを特徴とする請求項１に記載の障害復旧方法。
【請求項３】
前記送信を抑止するステップは、前記光バースト信号用の波長パスを再設定するときのみ、行うことを特徴とする請求項１または２に記載の障害復旧方法。
【発明の詳細な説明】
【技術分野】
【０００１】
本発明は、光バースト交換（ＯＢＳ：Ｏｐｔｉｃａｌ  Ｂｕｒｓｔ  Ｓｗｉｔｃｈｉｎｇ）ネットワークの障害検出および障害復旧に関し、より詳しくは、複数の光バースト交換ネットワークを、ＧＭＰＬＳ（Ｇｅｎｅｒａｌｉｚｅｄ  Ｍｕｌｔｉ−Ｐｒｏｔｏｃｏｌ  Ｌａｂｅｌ  Ｓｗｉｔｃｈｉｎｇ）技術等を用いて波長パスを設定するネットワークにオーバーレイしたシステムで障害を検出するおよび障害を復旧する技術に関する。
【背景技術】
【０００２】
ＯＢＳネットワークは、送信すべきデータがある場合、このデータ伝送に必要な時間だけ、ある波長を割当て、送信すべきデータを、割り当てられた波長の光バースト信号として伝送するネットワークであり、ＯＢＳエッジノードとＯＢＳコアノードとを含んでいる（例えば、非特許文献１、参照。）。
【０００３】
ＯＢＳエッジノードは、送信すべきデータがある場合、まず、ＢＨＰ／ＢＣＰ（Ｂｕｒｓｔ  Ｈｅａｄｅｒ  Ｐａｃｋｅｔ／Ｂｕｒｓｔ  Ｃｏｎｔｒｏｌ  Ｐａｃｋｅｔ）と呼ばれる制御パケットを、制御パケット用に割り当てられた波長で送信する。この制御パケットにはデータの宛先情報及びデータが使用する波長情報が含まれている。ＯＢＳエッジノードは、制御パケット送信から所定のオフセット期間経過後、データを、制御パケットで通知した波長の光バースト信号（ＤＢ：Ｄａｔａ  Ｂｕｒｓｔ）として送信する。
【０００４】
一方、ＯＢＳコアノードは、制御パケットを受信した場合、含まれる宛先情報に基づき制御パケットを転送すると共に、オフセット期間経過後に受信する光バースト信号を、制御パケットと同一経路に送信する。
【０００５】
２つのＯＢＳネットワーク間を、ＧＭＰＬＳ技術を用いた光ネットワークにより接続することを考える。なお、ＧＭＰＬＳ光ネットワークにおいて、各光伝送装置は、リンク情報を交換してネットワークトポロジを認識しており、波長パスを必要とする光伝送装置は、設定する波長パスのルートを計算し、ルート上の各光伝送装置に波長パス設定要求メッセージを送信して、波長パスの設定を行う。
【０００６】
ＧＭＰＬＳ光ネットワークは、異なる波長を使用する制御パケット及び光バースト信号を、それぞれ、独立して中継するため、宛先となるＯＢＳネットワークは、先に光バースト信号を受信する可能性があり、この場合には、光バースト信号の伝送を行うことができなくなる。
【０００７】
このため、複数のＯＢＳネットワークをＧＭＰＬＳ光ネットワークにオーバーレイしたネットワークモデル（ＯＢＳ／ＧＭＰＬＳ光ネットワーク）が提案され、ＯＢＳネットワーク間で、光バースト信号（ＤＢ）を転送するための波長パスと、制御パケット（ＢＨＰ／ＢＣＰ）を交換するための波長パスを同じＧＭＰＬＳ光ネットワーク上のファイバ（リンク）に異なる波長を用いて設定する手法の提案があった。
【０００８】
【非特許文献１】ｌｌｉａ  Ｂａｌｄｉｎｅ  ｅｔ  ａｌ、“ＪｕｍｐＳｔａｒｔ：Ａ  Ｊｕｓｔ−ｉｎ−Ｔｉｍｅ  Ｓｉｇｎａｌｉｎｇ  Ａｒｃｈｉｔｅｃｔｕｒｅ  ｆｏｒ  ＷＤＭ  Ｂｕｒｓｔ−Ｓｗｉｔｃｈｅｄ  Ｎｅｔｗｏｒｋｓ”、ＩＥＥＥ  Ｃｏｍｍｕｎｉｃａｔｉｏｎｓ  Ｍａｇａｚｉｎｅ、２００２年２月
【発明の開示】
【発明が解決しようとする課題】
【０００９】
しかしながら、複数のＯＢＳネットワークをＧＭＰＬＳ光ネットワークにオーバーレイしたシステムにおいて、ＧＭＰＬＳ光ネットワーク内で障害が発生した場合、障害検出方法および障害復旧方法は確立されていなかった。
【００１０】
さらに、上記システムに障害が発生した場合、障害発生箇所がＯＢＳネットワークであるか、ＧＭＰＬＳ光ネットワークであるか特定することはできなかった。
【００１１】
したがって、本発明は、複数のＯＢＳネットワークを、ＧＭＰＬＳ技術等を用いて波長パスを設定するネットワークにオーバーレイしたシステムで障害を検出する方法、障害発生箇所を特定する方法および障害を復旧する方法を提供することを目的とする。
【課題を解決するための手段】
【００１２】
本発明における障害検出方法によれば、
複数の光バースト交換を行うネットワークを、波長パスを設定するネットワークにより中継し、該波長パスを設定するネットワークでは、光バースト信号の制御パケット用の波長パスと光バースト信号用の波長パスが同一ルートであるシステムの障害検出方法であって、前記光バースト信号の制御パケット用の波長パスの障害を検出することで、前記システムの障害を検出する。
【００１３】
また、本発明の障害検出方法における他の実施形態によれば、
前記波長パスの障害は、光バースト交換を行うネットワークと波長パスを設定するネットワーク間に配置されたトランスポンダが、光信号の喪失または伝送路障害による信号品質の劣化を検知することで検出され、前記トランスポンダは、光信号喪失または伝送路障害による信号品質劣化検知後、光ＩＦをシャットダウンさせないことも好ましい。
【００１４】
本発明における障害復旧方法によれば、
複数の光バースト交換を行うネットワークを、波長パスを設定するネットワークにより中継し、該波長パスを設定するネットワークでは、光バースト信号の制御パケット用の波長パスと光バースト信号用の波長パスが同一ルートであるシステムの障害復旧方法であって、前記光バースト信号用の波長パスを設定するために要する設定時間を計測するステップと、前記光バースト信号の制御パケット用の波長パスの障害を検出するステップと、前記検出した障害を前記光バースト交換を行うネットワークに通知するステップと、前記光バースト交換を行うネットワークは、前記通知がなされた場合、前記設定時間が経過するまで、前記光バースト信号の制御パケットの送信を抑止するステップと、を含む。
【００１５】
また、本発明の障害復旧方法における他の実施形態によれば、
前記波長パスの障害は、光バースト交換を行うネットワークと波長パスを設定するネットワーク間に配置されたトランスポンダが、光信号の喪失または伝送路障害による信号品質の劣化を検知することで検出され、前記トランスポンダは、光信号喪失または伝送路障害による信号品質劣化検知後、光ＩＦをシャットダウンさせないことも好ましい。
【００１６】
また、本発明の障害復旧方法における他の実施形態によれば、
前記送信を抑止するステップは、前記光バースト信号用の波長パスを再設定するときのみ、行うことも好ましい。
【発明の効果】
【００１７】
複数のＯＢＳネットワークを、ＧＭＰＬＳ技術等を用いて波長パスを設定するネットワークにオーバーレイしたシステムで、制御パケット用の波長パスのＬＯＬまたは信号品質障害を検出することにより、上記システム内の障害を検出することが可能になる。また、トランスポンダを用いることにより、ＯＢＳネットワークとＧＭＰＬＳ技術等を用いて波長パスを設定するネットワークとで障害発生箇所を切り分けることが可能になる。さらに、障害検出後、光バースト信号用の波長パスの設定時間経過後に制御パケットを送出することにより、安定かつ高速な障害復旧が可能になる。
【発明を実施するための最良の形態】
【００１８】
本発明を実施するための最良の実施形態について、以下では図面を用いて詳細に説明する。
【００１９】
図１は、本発明によるネットワークシステムの構成図を示す。図１によると、本ネットワークシステム（ＯＢＳ／ＧＭＰＬＳ光ネットワーク）は、３つのＯＢＳネットワーク１（ＯＢＳ−１〜ＯＢＳ−３）と、ＧＭＰＬＳ光ネットワーク２とを含んでおり、ＧＭＰＬＳ光ネットワーク２は、ＯＢＳネットワーク１間を接続、つまり、ＯＢＳネットワーク１間で送受信される制御パケット及び光バースト信号の中継を行う。
【００２０】
ＧＭＰＬＳ光ネットワーク２は、複数のＧＭＰＬＳ光ノード１３（Ｒ１〜Ｒ４）を含むネットワークであり、ＧＭＰＬＳ技術により、必要に応じて波長パスを設定する。なお、以下では、ＧＭＰＬＳ技術を用いた光ネットワークが複数のＯＢＳネットワーク１間の中継を行う形態にて説明するが、本発明は、各光伝送装置からの要求に基づき波長パスを設定するネットワークであれば、ＧＭＰＬＳ技術を用いたものに限定されない。
【００２１】
ＯＢＳネットワーク１は、ＯＢＳエッジノード１１（ＥＮ１〜ＥＮ３）と、ＯＢＳコアノード（図示せず）と、ＯＢＳボーダノード１２（ＢＮ１〜ＢＮ３）とを備えている。
【００２２】
ＯＢＳエッジノード１１は、送信すべきデータがある場合、所定波長の制御パケットを送信する。この制御パケットにはデータの宛先情報及びデータが使用する波長情報が含まれている。ＯＢＳエッジノード１１は、制御パケット送信から所定のオフセット期間経過後、送信データを、制御パケットで通知した波長の光バースト信号として、制御パケットと同一経路に送信する。
【００２３】
ＯＢＳコアノードは、ルーティングテーブルを有し、制御パケットを受信した場合、含まれる宛先情報と、ルーティングテーブルに基づき制御パケットを転送すると共に、オフセット期間経過後に受信する光バースト信号を、制御パケットと同一経路に送信する。
【００２４】
ＯＢＳボーダノード１２は、各ＯＢＳネットワーク１と、ＧＭＰＬＳ光ネットワーク２との相互接続を行う為の光通信装置であり、各ＯＢＳネットワーク１と、ＧＭＰＬＳ光ネットワーク２との境界に設置される。
【００２５】
ＯＢＳボーダノード１２は、ＯＢＳネットワーク１から受信する制御パケットに基づき、ＧＭＰＬＳ光ネットワーク２に対して、制御パケット用の波長パスと、光バースト信号用の波長パスとを同一ルートで設定する様に制御する。つまり、各波長パスは、同じファイバ（リンク）に異なる波長を用いて設定される。その後、制御パケットを、制御パケット用の波長パスに送信する。続いて、オフセット期間経過後に受信する光バースト信号を、光バースト信号用の波長パスに送信する。２つの波長パスは同一ルートであるため、対向するＯＢＳボーダノード１２は、制御パケットを先に受信し、よって、光バースト信号を正しく伝送することができる。
【００２６】
このように、ＯＢＳボーダノード１２間は、ＧＭＰＬＳ光ネットワーク２内の同一ルートのリンク（バーチャルインタードメインリンク３）で仮想的に接続されている。ＧＭＰＬＳ光ネットワーク２の物理的なリンクは、ＯＢＳボーダノード１２間を以下で説明するグループＬＳＰ（Ｇｒｏｕｐ  Ｌａｂｅｌ  Ｓｗｉｔｃｈｅｄ  Ｐａｔｈ）で接続している。
【００２７】
図２は、グループＬＳＰの一例を示す。グループＬＳＰは、制御パケット用のＬＳＰと光バースト信号用のＬＳＰを同一ファイバ上にまとめたパスであり、各ＬＳＰは別の波長を使用している。図２では、制御パケット用のＬＳＰ（ＢＨＰ  ＬＳＰ）と２本の光バースト信号用のＬＳＰ（Ｄａｔａ  ｂｕｒｓｔ  ＬＳＰ１および２）が１本の光ファイバ（点線で記載されている）に収容されていることを示している。
【００２８】
図３は、ＯＢＳネットワーク間をＧＭＰＬＳ光ネットワークで接続する構成およびメッセージ・シーケンスを示す。図３では、ＯＢＳボーダノード１２（ＯＢＳ−Ｂ１、ＯＢＳ−Ｂ２）間を、ＷＳＳ１９（ＷＳＳ１、ＷＳＳ２：波長選択スイッチ）、ＰＸＣ２０（光クロスコネクト）を含むＧＭＰＬＳ光ネットワーク２で中継する。ＯＢＳボーダノード１２とＧＭＰＬＳ光ネットワーク２間には、トランスポンダ１７および１＋１プロテクションスイッチ１８が挿入されている。また、ＯＢＳネットワーク１を制御するバーストコントローラ１４（ＢＣ１、ＢＣ２）、ＧＭＰＬＳ光ネットワーク２を制御するＧＭＰＬＳボーダコントローラ１５（ＧＢＣ１、ＧＢＣ２）とＧＭＰＬＳコントローラ１６（ＧＣ１〜ＧＣ３）も含まれている。なお、ＧＭＰＬＳ光ネットワーク２はＷＳＳ１９およびＰＸＣ２０を使用したフルトランスペアレントなネットワークである。
【００２９】
図３に基づいて、ＯＢＳネットワーク１間の接続手順を示す。最初ＯＢＳボーダノード１２は、制御パケット用の波長パスの設定要求をＧＭＰＬＳ光ネットワーク２に行う（１：Request BHP LSP）。この設定要求に基づいて波長パスがＧＭＰＬＳ光ネットワーク２内に設定されると、レスポンスが返ってくる（２：Response）。この波長パスにルーティング情報を送信することにより、ＯＢＳネットワーク１同士が認識される。
【００３０】
この設定要求には、設定する波長パスの波長λ０とプロテクションタイプが含まれている。制御パケット用のプロテクションタイプは、無しと、とＡ（１＋１プロテクション）と、Ｂ（プリプランドリルーティング）と、Ｃ（フル・リルーティング）の４種類がある。無しは障害発生時に何もしないことを意味し、１＋１プロテクションは、ワーキングパスとプロテクションパスの２つのＬＳＰを設定することを意味し、プリプランドリルーティングは、ワーキングパスを設定し、プロテクションパスは経路のみを計算し、帯域を予約しておくことを意味し、フル・リルーティングは障害発生時に再度波長パスの設定を行うことを意味する。
【００３１】
ＯＢＳボーダノード１２に光バースト制御信号（ＢＨＰ）が入ってきた時、光バースト信号用の波長パスの設定要求を行う（３：Request
DB LSP）。この波長パスは、上記で説明したように制御パケット用の波長パスのファイバと同じファイバが使用される。このように設定されたＯＢＳネットワーク１間を接続するグループＬＳＰは、図３で最も太い実線で記載されている。光バースト信号用の波長パスが複数必要であるときは。複数の波長パスを設定する。図３では、光バースト信号用の波長パスはλ１〜λｎのｎ本の波長を使用している。
【００３２】
なお、図３ではＯＢＳボーダノード１２とＧＭＰＬＳ光ネットワーク２との接続には、制御パケット用の波長パスと光バースト信号用の波長パスとが用いられているが、これらの波長パスは、同じファイバ上であっても、別のファイバ上であってもかまわない。また、トランスポンダは、制御パケット用の波長パスにのみ接続されている。
【００３３】
光バースト信号用の波長パスの設定要求には、設定する波長パスの波長λ１とプロテクションタイプが含まれている。光バースト信号用のプロテクションタイプは、無しと、Ａ（１＋１プロテクション）と、Ｂ（プリプランドリルーティング）と、Ｃ（フル・リルーティング）の４種類が定義されている。これはＯＢＳユーザのＳＬＡ（サービスレベルアグリメント）に応じて、光バースト信号用の波長パスに設定される。無しはワーキングパスのみ設定し、このパスに障害が発生した時に何もしない方式である。１＋１プロテクションは、ワーキングパスとプロテクションパスの２つのグループＬＳＰを設定する方式である。パス切り替え時間は数十ミリ秒であり、最も切り替え時間が短い。そのため、本方式は最も優先度の高いＯＢＳユーザに使用される。次のプリプランドリルーティングは、ワーキングパスを設定し、プロテクションパスは経路のみを計算し、帯域を予約しておく方式である。パス切り替え時間は数百ミリ秒であり、パス切り替えにはプロテクションパスのアクティべーションを要するため、切り替え時間は１＋１プロテクションより多く必要になる。フル・リルーティングは、ワーキングパスのみを設定し、プロテクションパスは切り替え時に設定する方式である。切り替え時間は数秒であり、プロテクションパスの経路計算が更に必要となるため、切り替え時間はプリプランドリルーティングより多く必要になる。
【００３４】
図４は、ＯＢＳネットワーク間を接続するＧＭＰＬＳ光ネットワークで障害が発生した場合の障害検知の方法を示す。なお、図４は光バースト信号用のプロテクションタイプが無しとして設定された構成である。
【００３５】
ＧＭＰＬＳ光ネットワーク２内でケーブル障害が発生した場合を示す。光断が発生すると、障害箇所より下流の装置は、光信号の喪失（ＬＯＬ：Loss of light）を検知する。これにより障害を検出することが可能になる。ただし、光バースト信号は、バースト的に光信号が入ってくるため、障害の場合以外にもＬＯＬが検知される。そのため、ＬＯＬを検知したからといって、障害と断定することはできない。しかしながら、本実施形態では、制御パケット用の波長パスと光バースト信号用の波長パスは同じファイバに収容されている。さらに、制御パケット用の波長パスは連続光信号であるため、ＬＯＬは障害時のみに検知される。このため、制御パケット用の波長パスのＬＯＬを検知することにより、ＯＢＳ／ＧＭＰＬＳ光ネットワークの障害を検出することが可能になる。
【００３６】
図４では、トランスポンダ１７が制御パケット用の波長パスのＬＯＬを検知して、障害を認識する。トランスポンダ１７はＬＯＳをＧＭＰＬＳボーダコントローラ１５に通知し、ＧＭＰＬＳボーダコントローラ１５が障害通知信号（notify）で対向のＧＭＰＬＳボーダコントローラ１５に障害を通知する。さらに障害通知信号でバーストコントローラ１４に障害を通知することにより、ＯＢＳネットワーク１は、ＯＢＳ／ＧＭＰＬＳ光ネットワークに障害が発生したことを検知できる。
【００３７】
なお、本実施形態では、トランスポンダ１７がＬＯＬを検知して障害を通知していたが、ＬＯＬを検出する装置であれば、他の装置でもかまわない。
【００３８】
また、図４のようにＧＭＰＬＳ光ネットワーク２とＯＢＳネットワーク１の境界にトランスポンダ１７を配置した場合、トランスポンダ１７は光信号が途絶したリンクの光ＩＦをシャットダウンさせず、代わりにＡＩＳ（Alarm indication signal）等の障害の発生を伝える信号を生成し、リンクの下流方向に通知する。フルトランスペアレントな構成であり、下流の装置は、光の有無（光パワーレベル）を検出するが、光信号の内容をチェックしないため、ＡＩＳ信号がきていることより、障害の発生を認識しない。つまり、トランスポンダ１７より下流の装置であるＯＢＳネットワーク１内の装置は、障害を検知しない。そのため、障害がＧＭＰＬＳ光ネットワーク２内で発生したことが分かり、障害箇所の切り分けが可能になる。
【００３９】
次に障害検出後のＯＢＳネットワーク１とＧＭＰＬＳ光ネットワーク２との連携による障害復旧について説明する。
【００４０】
図５は、１＋１プロテクション構成で障害が発生した後のＯＢＳネットワークとＧＭＰＬＳ光ネットワークとの連携による障害復旧方法を示す。
【００４１】
ＯＢＳボーダノード１２は、光バースト信号用の波長パスの設定要求を行う（３：Request DB LSP）。１＋１プロテクション構成で設定するため、プロテクションタイプはＡを指定してある。実線のようにワーキングパスが、点線のようにプロテクションパスが設定される（４Ａ、４Ｂ：Response）。この時、ワーキングパスとプロテクションパスのそれぞれの設定時間を測定して、それをＯＢＳエッジノード１２に送る（５Ａ、５Ｂ：Measure LSP setup latency）。
【００４２】
ＧＭＰＬＳ光ネットワーク２内で障害が発生した場合、前述のようにトランスポンダ１７がＬＯＬを検知し、バーストコントローラ１４に障害が通知される。また、１＋１プロテクションスイッチ１８も障害を検知し、ワーキングパスからプロテクションパスへの切り替えを行う。さらに、切り替えを行った後、送り出しの出力を切断することにより、上流側の１＋１プロテクションスイッチ１８も障害を検知し、このスイッチも切り替えを行う。ＯＢＳエッジノード１２は障害を通知されたが、波長パスが１＋１プロテクションの構成であり、プロテクションパスに自動的に切り替わり、この切り替えが瞬時に行われることを認識しているため、障害検出後の制御パケットの送出に関して、何ら制御を行わない。または、１＋１プロテクションは安定的に切り替えが行われるので、予め数ｍｓのオフセットタイムを設定しておいてもよい。
【００４３】
図６は、プリプランドリルーティング構成で障害が発生した後のＯＢＳネットワークとＧＭＰＬＳ光ネットワークとの連携による障害復旧方法を示す。
【００４４】
ＯＢＳボーダノード１２は、光バースト信号用の波長パスの設定要求を行う（３：Request DB LSP）。プリプランドリルーティング構成で設定するため、プロテクションタイプはＢを指定してある。実線のようにワーキングパスが設定され、点線のようにプロテクションパスの経路が計算される（４Ａ、４Ｂ：Response）。この時、ワーキングパスの設定時間とプロテクションパスの経路計算時間を測定して、それをＯＢＳエッジノード１２に送る（５Ａ、５Ｂ：Measure LSP setup latency）。
【００４５】
ＧＭＰＬＳ光ネットワーク２内で障害が発生した場合、前述のようにトランスポンダ１７がＬＯＬを検知し、バーストコントローラ１４に障害が通知される。ＯＢＳボーダノード１２は障害を検知すると、ワーキングパスの解放を行い、その後、プロテクションパスのアクティべーションを行う。ＯＢＳエッジノード１２は、障害検出後の制御パケットの送出を、予め測定したプロテクションパスの経路計算時間分を経過した後に実行する。
【００４６】
図７は、フル・リルーティング構成で障害が発生した後のＯＢＳネットワークとＧＭＰＬＳ光ネットワークとの連携による障害復旧方法を示す。
【００４７】
ＯＢＳボーダノード１２は、光バースト信号用の波長パスの設定要求を行う（３：Request DB LSP）。フル・リルーティング構成で設定するため、プロテクションタイプはＣを指定してある。実線のようにワーキングパスが設定される（４：Response）。この時、ワーキングパスの設定時間を測定して、それをＯＢＳエッジノード１２に送る（５：Measure LSP setup latency）。
【００４８】
ＧＭＰＬＳ光ネットワーク２内で障害が発生した場合、前述のようにトランスポンダ１７がＬＯＬを検知し、バーストコントローラ１４に障害が通知される。ＯＢＳボーダノード１２は障害を検知すると、ワーキングパスの解放を行い、その後、点線のようにプロテクションパスの設定を行う。この設定には時間がかかるため、ＯＢＳボーダノード１２は、障害検出後の制御パケットを前記の設定時間を経過した後に送出する。このように、一定時間制御パケットの送出を抑えるため、安定かつ高速な障害復旧が可能になる。
【００４９】
また、以上述べた実施形態は全て本発明を例示的に示すものであって限定的に示すものではなく、本発明は他の種々の変形態様および変更態様で実施することができる。従って本発明の範囲は特許請求の範囲およびその均等範囲によってのみ規定されるものである。
【図面の簡単な説明】
【００５０】
【図１】本発明によるネットワークシステムの構成図を示す。
【図２】グループＬＳＰの一例を示す。
【図３】ＯＢＳネットワーク間をＧＭＰＬＳ光ネットワークで接続する構成およびメッセージ・シーケンスを示す。
【図４】ＯＢＳネットワーク間を接続するＧＭＰＬＳ光ネットワークで障害が発生した場合の障害検知の方法を示す。
【図５】１＋１プロテクション構成で障害が発生した後のＯＢＳネットワークとＧＭＰＬＳ光ネットワークとの連携による障害復旧方法を示す。
【図６】プリプランドリルーティング構成で障害が発生した後のＯＢＳネットワークとＧＭＰＬＳ光ネットワークとの連携による障害復旧方法を示す。
【図７】フル・リルーティング構成で障害が発生した後のＯＢＳネットワークとＧＭＰＬＳ光ネットワークとの連携による障害復旧方法を示す。
【符号の説明】
【００５１】
１  ＯＢＳネットワーク
２  ＧＭＰＬＳ光ネットワーク
３  バーチャルインタードメインリンク
１１  ＯＢＳエッジノード
１２  ＯＢＳボーダノード
１３  ＧＭＰＬＳ光ノード
１４  バーストコントローラ
１５  ＧＭＰＬＳボーダコントローラ
１６  ＧＭＰＬＳコントローラ
１７  トランスポンダ
１８  １＋１プロテクションスイッチ
１９  ＷＳＳ
２０  ＰＸＣ
【図１】
0004935737.tif 000002
【図２】
0004935737.tif 000003
【図３】
0004935737.tif 000004
【図４】
0004935737.tif 000005
【図５】
0004935737.tif 000006
【図６】
0004935737.tif 000007
【図７】
0004935737.tif 000008